(57)【特許請求の範囲】
【請求項１】
広告インベントリ抽出部と、有効広告抽出部と、競争度決定部と、広告インベントリ調整部とを有し、登録されたキーワード広告を保持するコンピュータによって実行される方法であって、
前記広告インベントリ抽出部が、前記キーワード広告の表示領域である広告インベントリの数を抽出することと、
前記有効広告抽出部が、前記コンピュータに保持された前記キーワード広告の中から、キーワードに関して予め設定した閾値を超過する広告成果を示す有効な広告の数を抽出することと、
前記競争度決定部が、前記広告インベントリ抽出部が抽出した広告インベントリの数と前記有効広告抽出部が抽出した有効な広告の数との差を算出することによりキーワード広告競争の競争度を決定することと、
前記広告インベントリ調整部が、前記競争度決定部が決定した競争度に基づいてキーワード広告競争に関連する前記キーワード広告が表示される広告インベントリ数を動的に調整することと、
を含むことを特徴とする広告インベントリ数の調整方法。
【請求項２】
登録広告抽出部と、有効広告抽出部と、競争度決定部と、広告インベントリ調整部とを有し、登録されたキーワード広告を保持するコンピュータによって実行される方法であって、
前記登録広告抽出部が、キーワードに関して登録された登録広告の数を抽出することと、
前記有効広告抽出部が、前記コンピュータに保持された前記キーワード広告の中から、前記キーワードに関して予め設定した閾値を超過する広告成果を示す有効な広告の数を抽出することと、
前記競争度決定部が、前記登録広告抽出部が抽出した登録広告の数に対する前記有効広告抽出部が抽出した有効な広告の数の比率を算出することによりキーワード広告競争の競争度を決定することと、
前記広告インベントリ調整部が、前記競争度決定部が決定した競争度に基づいてキーワード広告競争に関連する前記キーワード広告が表示される広告インベントリ数を動的に調整することと、
を含むことを特徴とする広告インベントリ数の調整方法。
【請求項３】
前記広告インベントリ数の動的な調整により、前記キーワード広告競争の競争度が高いほど前記広告インベントリ数を増加させることを特徴とする請求項１又は２に記載の広告インベントリ数の調整方法。
【請求項４】
前記キーワード広告の競争が発生したか否かを報告するステップをさらに含むことを特徴とする請求項１又は２に記載の広告インベントリ数の調整方法。
【請求項５】
前記広告インベントリ抽出部が抽出した広告インベントリ数が、前記有効広告抽出部が抽出した有効広告数よりも小さい場合、前記キーワード広告の競争が発生したことを報告するステップをさらに含むことを特徴とする請求項１に記載の広告インベントリ数の調整方法。
【請求項６】
登録されたキーワード広告を保持する広告インベントリ数の調整システムであって、
前記キーワード広告の表示領域である広告インベントリ数を抽出する広告インベントリ抽出部と、
前記保持された前記キーワード広告の中から、キーワードに関して予め設定した閾値を超過する広告成果を示す有効広告数を抽出する有効広告抽出部と、
前記広告インベントリ抽出部が抽出した広告インベントリ数と前記有効広告抽出部が抽出した有効広告数との差を算出することによりキーワード広告競争の競争度を決定する競争度決定部と、
前記競争度決定部が決定した競争度に基づいて前記キーワード広告競争に関連するキーワード広告が表示される広告インベントリの数を動的に調整する広告インベントリ調整部と、
を備えることを特徴とする広告インベントリ数の調整システム。
【請求項７】
登録されたキーワード広告を保持する広告インベントリ数の調整システムであって、
キーワードに関して登録された登録広告数を抽出する登録広告抽出部と、
前記保持された前記キーワード広告の中から、前記キーワードに関して予め設定した閾値を超過する広告成果を示す有効広告数を抽出する有効広告抽出部と、
前記登録広告抽出部が抽出した登録広告数に対する前記有効広告抽出部が抽出した有効広告数の比率を算出することによりキーワード広告競争の競争度を決定する競争度決定部と、
前記競争度決定部が決定した競争度に基づいて前記キーワード広告競争に関連するキーワード広告が表示される広告インベントリの数を動的に調整する広告インベントリ調整部と、
を備えることを特徴とする広告インベントリ数の調整システム。
【請求項８】
前記広告インベントリ調整部は、前記キーワード広告競争の競争度が高いほど前記広告インベントリ数を増加させることを特徴とする請求項６又は７に記載の広告インベントリ数の調整システム。
【請求項９】
前記キーワード広告の競争が発生したか否かを報告する報告部をさらに備えることを特徴とする請求項６又は７に記載の広告インベントリ数の調整システム。
【請求項１０】
前記広告インベントリ抽出部が抽出した広告インベントリ数が、前記有効広告抽出部が抽出した有効広告数よりも小さい場合、前記キーワード広告の競争が発生したことを報告する報告部をさらに備えることを特徴とする請求項６に記載の広告インベントリ数の調整システム。
【請求項１１】
請求項１乃至請求項５のいずれか１項に記載の方法を前記コンピュータに実行させるためのプログラム。
【発明の詳細な説明】
【技術分野】
【０００１】
本発明は、広告インベントリ（ａｄｖｅｒｔｉｓｉｎｇ  ｉｎｖｅｎｔｏｒｉｅｓ）の数の調整システムおよび調整方法に関し、より詳しくは、キーワード広告に関して有効な広告の数と広告インベントリの数とを比較した結果であるキーワード広告競争（ｋｅｙｗｏｒｄ  ａｄｖｅｒｔｉｓｉｎｇ  ｃｏｍｐｅｔｉｔｉｏｎ）の競争度（ｃｏｍｐｅｔｉｔｉｏｎ  ｆａｃｔｏｒ）に基づいて、それぞれがキーワード広告の表示領域である広告インベントリの数を調整するシステムおよび方法に関する。
【背景技術】
【０００２】
インターネット広告の発展に伴って、キーワードに関する競争入札方式が適用されたキーワード広告がインターネット広告の一般的な方法として用いられている。このようなキーワード広告は、ユーザからの検索クエリに対する応答として提供される検索広告の形態で表示することができる。また、キーワード広告は、検索クエリが入力されない場合でもウェブ文書の文脈分析によって提供することができる。
【０００３】
競争入札方式が適用されるキーワード広告の場合、単一の広告キーワードに関して、複数の広告主それぞれが自身の広告を表示させるために入札することもできる。入札に参加した複数の広告主のうち一部の広告主の広告のみが特定の広告表示領域（ａｄｖｅｒｔｉｓｉｎｇ  ｄｉｓｐｌａｙ  ａｒｅａ）に表示させることも可能である。
【０００４】
この例では、広告キーワードごとに広告主の需要が異なり、これによって広告を表示するための広告主の間の競争関係も異なることがある。しかし、従来技術の場合、広告キーワードに関する広告主の需要または競争の事情を反映することなく、予め準備された数の広告表示領域を運用することによって広告の収益性が低下されてしまう問題があった。
【発明の概要】
【発明が解決しようとする課題】
【０００５】
本発明は、キーワード広告競争の競争度に基づいて、キーワード広告競争に関連するキーワード広告の表示領域である広告インベントリの数を調整することで、キーワード広告の競争関係を反映して広告の収益性を高めることのできる広告インベントリの数の調整システムおよび方法を提供することを目的とする。
【０００６】
また、本発明は、キーワード広告に関する競争関係が存在しない場合、広告インベントリの数を減少させることによって、広告の収益性を改善できる広告インベントリの数の調整システムおよび方法を提供することを目的とする。
【０００７】
また、本発明は、キーワード広告に関して競争関係が存在する場合、広告インベントリの数を増加して、自身の広告を表示しようとする広告主にも広告表示の機会を付与することのできる広告インベントリの数の調整システムおよび方法を提供することを目的とする。
【課題を解決するための手段】
【０００８】
本発明の付加的な長所、目的及び特徴は下記において説明され、部分的には下記の内容から本発明の関連技術分野における当業者にとって明らかになり、または、本発明の実施によって習得することができる。
【０００９】
本発明の例示的な実施形態に係る広告インベントリ数の調整方法は、キーワードに関するキーワード広告競争の競争度を判断することと、前記の競争度に基づいて前記のキーワード広告競争に関連するキーワード広告が表示される広告インベントリの数を動的に調整すること、を含む。
【００１０】
前記のキーワード広告競争の競争度の判断は、キーワードに関してキーワード広告の表示領域である広告インベントリの数を抽出することと、キーワードに関して予め設定した広告成果（ａｄｖｅｒｔｉｓｉｎｇ  ｐｅｒｆｏｒｍａｎｃｅ）を超過する有効な広告の数を抽出することと、前記の広告インベントリの数および前記の有効な広告の数に基づいて、キーワード広告競争の競争度を決定すること、とを含むことができる。
【００１１】
前記のキーワード広告競争の競争度の判断は、キーワードに関して登録された登録広告の数を抽出することと、キーワードに関して予め設定した閾値を超過する広告成果を示す有効な広告の数を抽出することと、前記の登録広告の数および前記の有効広告の数に基づいてキーワード広告競争の競争度を決定すること、とを含むことができる。
【００１２】
本発明の他の実施形態に係る広告インベントリ数の調整方法は、キーワードに関する広告インベントリの数を抽出することと、キーワードに関する有効な広告の数を抽出することと、前記の広告インベントリの数および前記の有効広告数に基づいてキーワードに関するキーワード広告の競争の事情が発生したか否かを報告することと、を含むことができる。
【００１３】
更に、本発明の異なる実施形態に係る広告インベントリ数の調整システムは、キーワードに関するキーワード広告競争の競争度を判断する競争度判断部と、前記の競争度に基づいてキーワード広告競争に関連するキーワード広告が表示される広告インベントリの数を動的に調整する広告インベントリ調整部とを備える。
【００１４】
前記の競争度判断部は、キーワードに関してキーワード広告の表示領域である広告インベントリ数を抽出する広告インベントリ抽出部と、キーワードに関して予め設定した広告成果を超過する有効広告数を抽出する有効広告抽出部と、前記の広告インベントリ数および前記の有効広告数に基づいてキーワード広告競争の競争度を決定する競争度決定部とを備えることができる。
【００１５】
前記の競争度判断部は、キーワードに関して登録された登録広告数を抽出する登録広告抽出部と、キーワードに関して予め設定した閾値を超過する広告成果を示す有効広告数を抽出する有効広告抽出部と、前記の登録広告数および前記の有効広告数に基づいてキーワード広告競争の競争度を決定する競争度決定部とを備えることができる。
【００１６】
本発明の更に他の実施形態に係る広告インベントリ調整システムは、キーワードに関する広告インベントリ数を抽出する広告インベントリ抽出部と、キーワードに関する有効広告数を抽出する有効広告抽出部と、前記の広告インベントリ数および前記の有効広告数に基づいて、キーワードに関するキーワード広告の競争事情が発生したか否かを報告する報告部とを備える。
【００１７】
前述の一般的な記載及び以下の詳細な説明は例示及び説明的なものであって、特許請求の範囲に記載された発明の更なる説明を与えるべく意図されている。また、添付した図面は、本発明の更なる理解を与えるためのものであって、本願の明細書に組み込まれて本願の明細書の一部を構成し、本発明の実施形態を説明し、本願の詳細な説明とともに、本発明の技術的な本質的な思想或いは原理を説明する役割を果たす。
【発明の効果】
【００１８】
本発明の一実施形態によると、キーワード広告競争の競争度に基づいて、キーワード広告競争に関連するキーワード広告の表示領域である広告インベントリの数を調整することで、キーワード広告の競争関係を反映して広告の収益性を改善することができる。
【００１９】
また、本発明の一実施形態によると、キーワード広告に関して競争関係が存在しない場合、広告インベントリ数を減少させることで競争関係を生成することによって、広告の収益性を改善することができる。
【００２０】
また、本発明の一実施形態によると、キーワード広告に関して競争関係が存在する場合に広告インベントリ数を増加させることで、自身の広告を表示しようとする広告主にも広告表示の機会を付与することができる。
【図面の簡単な説明】
【００２１】
【図１】本発明の一実施形態に係る広告インベントリ調整システムの動作を説明するための図である。
【図２】本発明の一実施形態に係る広告インベントリ数の調整方法を示すフローチャートである。
【図３】本発明の他の一実施形態に係る広告インベントリ数の調整方法を示すフローチャートである。
【図４】本発明の一実施形態に係るキーワード広告の競争が発生した例を示す図である。
【図５】本発明の一実施形態に係るキーワード広告の競争が発生しない例を示す図である。
【図６】本発明の一実施形態に係る競争度に基づいて広告インベントリ数を調整する例を示す図である。
【図７】本発明の一実施形態に係る有効広告数および登録広告数に基づく競争度を示す図である。
【図８】本発明の一実施形態に係る広告インベントリ調整システムの細部構成を示す図である。
【図９】本発明の他の一実施形態に係る広告インベントリ調整システムの細部構成を示す図である。
【発明を実施するための形態】
【００２２】
以下、添付の図面に記載された内容を参照して本発明に係る実施形態を詳説する。ただし、本発明は、多くの異なる形態で具体化することが可能であって、実施形態によって制限されたり限定的に解釈されることはない。むしろ、本願の開示が本発明の技術分野におけるいわゆる当業者にとって完全であって、本発明の技術的範囲を当業者に十分に伝えるように、前記の実施形態は記載されている。各図面に提示された同一の参照符号は同一の部材を示す。
【００２３】
ある要素Ａが他の要素Ｂへ「接続される（ｃｏｎｎｅｃｔｅｄ）」ものであると記載されている場合、その要素Ａは前記他の要素Ｂに直接的に接続されるか、介在要素が前記要素Ａ及び前記他の要素Ｂの間に存在し得ると理解される
【００２４】
本発明の一実施形態に係る広告インベントリ調整方法は、本発明の一実施形態に係る広告インベントリ調整システムによって行うことができる。
【００２５】
図１は、本発明の一実施形態に係る広告インベントリ調整システム１００の動作を説明するための図である。
【００２６】
広告主１０１−１ないし１０１−Ｎは、広告インベントリ調整システム１００に入札してキーワード広告を登録することができる。キーワード広告は、検索者が検索キーワードを入力した場合に検索結果として表示することができ、或いは、キーワード広告が文書内に存在するキーワードに関連する場合、前記キーワード広告を文書に結合して表示することができる。
【００２７】
この実施形態において、特定キーワードに関して入札して登録されるキーワード広告の数とキーワード広告が表示される領域の数とが一致しない場合がある。ここで、キーワード広告が表示される広告領域は、広告インベントリ１０２として定義される。このような例において、広告インベントリ１０２の数が固定され、キーワード広告が入札環境（ｂｉｄ  ｅｍｖｉｒｏｍｅｎｔ）に基づいて登録される場合に問題になり得る。もし、登録されたキーワード広告の数が広告インベントリ１０２の数よりも多い場合、広告インベントリ１０２の数に対応する数のキーワード広告を表示しなければならない。この場合、すべての広告主のキーワード広告が表示されることはないため、広告主の間に競争関係が発生する。
【００２８】
反対に、登録されたキーワード広告の数が広告インベントリ１０２の数よりも少ない場合、登録されたキーワード広告のみが表示される。この例において、キーワード広告を運用する者は不要な表示空間を浪費することになり、広告の収益性が低下してしまう。
【００２９】
したがって、本発明の一実施形態に係る広告インベントリ調整システム１００は、キーワード広告の数および広告インベントリ１０２の数に基づいて広告競争を判断して、表示される領域の数を調整してもよい。広告インベントリ１０２の形態は制限されない。
【００３０】
図２は、本発明の一実施形態に係る広告インベントリの数を調整する方法を示すフローチャートである。
【００３１】
ステップＳ２０１において、広告インベントリ調整システム１００はキーワードに関するキーワード広告の競争度を判断してもよい。この例において、ステップＳ２０１は、ステップＳ２０３、ステップＳ２０４、およびステップＳ２０５を含んでもよい。
【００３２】
ステップＳ２０３において、広告インベントリ調整システム１００は、キーワードに関してキーワード広告の表示領域である広告インベントリの数を抽出してもよい。前述したように、広告インベントリは、キーワード広告において表示される広告領域を意味する。本発明において、キーワード広告は、広告インベントリの最下位の次順位に対応する広告リストの順位指数（ｒａｎｋｉｎｇ  ｉｎｄｅｘ）に基づいて課金額を調整した課金方式に適用され得る。
【００３３】
ステップＳ２０４において、広告インベントリ調整システム１００は、キーワードに関して予め設定した広告成果を超過する有効広告数を抽出することができる。この例において、予め設定した広告成果は、予め設定した有効売り上げが発生したことを意味する。ここで、有効売り上げは、広告主が獲得した収益に基づいて決定することができる。具体的に、有効売り上げは、コンバージョン率（ｃｏｎｖｅｒｓｉｏｎ  ｒａｔｅ）を用いて広告主のサイトでユーザがモノを購入した行為などによって決定されてもよい。有効広告は、キーワード広告に関して競争意思のある広告主の数を把握できる間接的な基準であってもよい。
【００３４】
ステップＳ２０５において、広告インベントリ調整システム１００は、広告インベントリ数および有効広告数に基づいてキーワード広告競争の競争度を決定することができる。この例において、広告インベントリ数が有効広告数よりも小さい場合、広告インベントリ調整システム１００はキーワード広告の競争が発生したと判断できる。ここで、広告インベントリ数と有効広告数との差が大きいほどキーワード広告の競争度は増加することを意味する。
【００３５】
反対に、広告インベントリ数が有効広告数よりも大きいか同じである場合、広告インベントリ調整システム１００はキーワード広告の競争が発生しないものと判断できる。競争度は、有効広告数と広告インベントリ数との差で算出することができる。ここで、（−）値または０が導き出されると競争が発生しないことを意味し、（＋）値が導き出されると競争が発生したことを意味する。
【００３６】
広告インベントリ調整システム１００は、前記の競争度に基づいて、キーワード広告競争と関連するキーワード広告が表示される広告インベントリ数を動的に調整することができる（Ｓ２０２）。ここで、広告インベントリ調整システム１００は、キーワード広告競争の競争度が高いほど広告インベントリ数を増加させることができる。一例として、キーワード広告競争が発生した場合、広告インベントリ調整システム１００は広告インベントリ数を少なくとも有効広告数に等しくなるように増加してもよい。
【００３７】
広告インベントリ数を調整する周期は、システムの状況に応じて変えることができる。また、広告インベントリ調整システム１００は、広告インベントリが多くて競争が存在しない場合、すなわち、ペイ・パー・クリック（Ｐａｙ  Ｐｅｒ  Ｃｌｉｃｋ）（ＰＰＣ）が急激に低下する場合についてフィードバックを受けて、広告インベントリ数を調整することができる。
【００３８】
ここで、キーワード広告の競争度が高いことは、制限された数の広告インベントリに競争意思のある広告主が多く存在することを意味する。したがって、広告インベントリ調整システム１００は、広告インベントリの数を増加させることによって、競争意思のある広告主にも広告表示の機会を付与することができる。これによって、広告を運用する者は、広告表示による広告収益を向上することができる。
【００３９】
図３は、本発明の他の一実施形態に係る広告インベントリ調整方法を示すフローチャートである。
【００４０】
ステップＳ３０１において、広告インベントリ調整システム１００は、キーワードに関するキーワード広告競争の競争度を判断できる。ここで、ステップＳ３０１は、ステップＳ３０３、ステップＳ３０４およびステップＳ３０５を含むことができる。
【００４１】
ステップＳ３０３において、広告インベントリ調整システム１００は、キーワードに関して登録された登録広告数を抽出することができる。ここで、登録された広告はキーワード広告に関して予め定められたキーワードへの入札への参加を通じて登録された広告であり、後の入札状況に応じて広告インベントリに表示される可能性のある広告である。
【００４２】
ステップＳ３０４において、広告インベントリ調整システム１００は、キーワードに関して予め設定した閾値を超過する広告成果を示す有効広告数を抽出することができる。有効広告の定義は前述したとおりである。
【００４３】
ステップＳ３０５において、広告インベントリ調整システム１００は、キーワードに関する前記の登録広告数および有効広告数を用いて、キーワード広告競争の競争度を決定することができる。
【００４４】
ここで、登録されたキーワード広告の数が有効広告数よりも小さい場合、広告インベントリ調整システム１００は、キーワード広告の競争が発生したと判断することができる。ここで、登録されたキーワード広告の数と有効広告数との差が大きいほどキーワード広告競争の競争度は増加する。
【００４５】
反対に、登録広告数が有効広告数よりも大きいか同じである場合、広告インベントリ調整システム１００は、キーワード広告の競争が発生していないものと判断できる。競争度は、有効広告数と登録広告数との差に基づいて算出することができる。ここで、（−）値または０が導き出されると競争が発生しないことを意味し、（＋）値が導き出されると競争が発生したことを意味する。
【００４６】
広告インベントリ調整システム１００は、キーワード広告競争の競争度に基づいてキーワード広告が表示される登録広告数を動的に調整することができる（Ｓ３０２）。ここで、広告インベントリ調整システム１００は、キーワード広告競争の競争度が増加するほど登録広告数を増加することができる。一例として、キーワード広告競争が発生した場合、広告インベントリ調整システム１００は登録広告数を少なくとも有効広告数に等しくなるように増加させてもよい。
【００４７】
ここで、キーワード広告競争の競争度が高いことは、広告インベントリの制限された数に競争意思のある広告主が多く存在することを意味する。
【００４８】
図２または図３には図示していないが、広告インベントリ調整システム１００は、広告インベントリ数および有効広告数に基づいて、キーワード広告の競争事情が発生したか否かを報告してもよい。すなわち、広告インベントリ数が有効広告数よりも小さい場合、広告インベントリ調整システム１００はキーワード広告の競争事情が発生したと報告してもよい。
【００４９】
図４は、本発明の一実施形態に係るキーワード広告競争が発生した例を示す図である。
【００５０】
図４は、広告需要を表す有効広告数と広告供給を表す広告インベントリ数との関係を示す。ここで、キーワードに関する広告インベントリ数がＡであり、有効広告数がＢである場合、ＢとＡとの間の差に相当するキーワード広告競争（＋）が発生したことになる。すなわち、キーワード広告競争は、広告供給よりも広告需要が大きい場合に発生する。
【００５１】
キーワード広告競争が発生した場合、広告インベントリ調整システム１００は、広告供給を少なくとも広告需要に等しくなるように増加させて、広告供給と広告需要との間のバランスを取ることができる。
【００５２】
図５は、本発明の一実施形態に係るキーワード広告競争が発生しない例を示す図である。
【００５３】
図５は、広告需要を表す有効広告数と広告供給を表す広告インベントリ数との関係を示す。ここで、キーワードに関する広告インベントリ数がＡであり、有効広告数がＢである場合、ＢとＡとの間の差が（−）になってキーワード広告競争が発生しない。すなわち、キーワード広告競争は、広告供給よりも広告需要が大きい場合に発生する。
【００５４】
キーワード広告の競争が発生しない場合、広告インベントリ調整システム１００は、広告供給を最小限の広告需要に等しくなるように減少させて広告供給と広告需要との間のバランスを取ることができる。
【００５５】
図６は、本発明の一実施形態に係る競争度に基づいて広告インベントリ数を調整する例を示す図である。
【００５６】
まず、キーワードに関する広告インベントリ数がＡであり、キーワードに関する有効広告数がＢである場合、キーワード広告の競争が発生しない。ここで、広告インベントリ調整システム１００は、広告インベントリ数をＡからＡ´に調整することができる。すなわち、広告インベントリ調整システム１００は、広告インベントリ数をＡからＡ´だけ減少させて広告供給を減らすことができる。これによって、ＢとＡ´との差に相当するキーワード広告の競争度が発生する。本発明の一実施形態によると、広告インベントリ調整システム１００は広告インベントリ数をＡからＢ以下に減少させることができる。
【００５７】
図７は、本発明の一実施形態に係る有効広告数および登録広告数に基づく競争度を示す図である。
【００５８】
図７は、キーワードに関する登録広告数に対するキーワードに関する有効広告数を示す。登録広告数に対する有効広告数の比率が大きい場合、すなわち、グラフの傾きが大きい場合、競争度が大きいことを意味する。また、登録広告数に有効広告数が近似している場合、すなわち、グラフの傾きが中間程度である場合、競争度が中間程度であることを意味する。そして、登録広告数に対する有効広告数の比率が小さい場合、すなわち、グラフの傾きが小さい場合は競争度が小さいことを意味する。一例として、広告主が入札額を変更する回数が多いか、課金するための広告主が多い場合に競争度が大きくなる。
【００５９】
これによって、広告インベントリ調整システム１００は、競争度に基づいて広告インベントリ数を調整することができる。すなわち、キーワード広告競争が発生して競争度が大きい場合、広告インベントリ調整システム１００は、広告インベントリ数を調整せず、キーワード広告競争が発生しなくて競争度が小さい場合、広告インベントリ調整システム１００は、広告インベントリ数を減らしてキーワード広告競争を発生させてもよい。
【００６０】
図８は、本発明の一実施形態に係る広告インベントリ調整システム１００の細部構成を示すブロック構成図である。
【００６１】
本発明の一実施形態に係る広告インベントリ調整システム１００は、競争度判断部８０１および広告インベントリ調整部８０２を備えることができる。そして、競争度判断部８０１は、広告インベントリ抽出部８０３、有効広告抽出部８０４および競争度決定部８０５を備えてもよい。
【００６２】
競争度判断部８０１は、キーワードに関するキーワード広告競争の競争度を判断することができる。ここで、キーワード広告は、広告インベントリの最下位の次順位に対応する広告リストの順位指数に基づいて課金額が調整される課金方式に適用することができる。
【００６３】
広告インベントリ抽出部８０３は、キーワードに関してキーワード広告競争に関連するキーワード広告の表示領域である広告インベントリの数を抽出することができる。
【００６４】
有効広告抽出部８０４は、キーワードに関して予め設定した広告成果を超過する有効広告数を抽出することができる。
【００６５】
競争度決定部８０５は、広告インベントリ数および有効広告数に基づいてキーワード広告競争の競争度を決定することができる。ここで、競争度決定部８０５は、広告インベントリ数が有効広告数よりも少ない場合にキーワード広告競争が発生したと判断することができる。
【００６６】
広告インベントリ調整部８０２は、前記の決定された競争度に基づいて、キーワード広告競争と関連するキーワード広告が表示される広告インベントリの数を動的に調整することができる。一例として、広告インベントリ調整部８０２は、キーワード広告競争の競争度が高いほど広告インベントリ数を増加してもよい。
【００６７】
図９は、本発明の他の一実施形態に係る広告インベントリ調整システムの細部構成を示すブロック構成図である。
【００６８】
本発明の一実施形態に係る広告インベントリ調整システム１００は、競争度判断部９０１および広告インベントリ調整部９０２を備えることができる。そして、競争度判断部９０１は、登録広告抽出部９０３、有効広告抽出部９０４および競争度決定部９０５を備えることができる。
【００６９】
競争度判断部９０１は、キーワードに関するキーワード広告競争の競争度を判断することができる。ここで、キーワード広告は、広告インベントリの最下位の次順位に対応する広告リストの順位指数に基づいて課金額が調整される課金方式に適用することができる。
【００７０】
登録広告抽出部９０３は、キーワードに関して登録された登録広告数を抽出することができる。
【００７１】
有効広告抽出部９０４は、キーワードに関して予め設定した閾値を超過する広告成果を表す有効広告数を抽出することができる。
【００７２】
競争度決定部９０５は、登録広告数と有効広告数に基づいてキーワード広告競争の競争度を決定することができる。ここで、競争度決定部９０５は、登録広告数が有効広告数よりも少ない場合、キーワード広告競争が発生したと判断することができる。
【００７３】
広告インベントリ調整部９０２は、前記の決定された競争度に基づいてキーワード広告が表示される広告インベントリの数を動的に調整することができる。一例として、広告インベントリ調整部９０２は、キーワード広告競争の競争度が高いほど広告インベントリ数を増加してもよい。
【００７４】
また、本発明の一実施形態に係る広告インベントリ調整方法は、多様なコンピュータ手段を介して様々な処理を実行できるプログラム命令の形態で実現可能であって、コンピュータ読取可能な記録媒体に記録することができる。コンピュータ読取可能な媒体は、プログラム命令、データファイル、データ構造などのうちの１つまたはその組合せを含むことができる。媒体及び媒体に記録されるプログラム命令は、本発明の目的のために特別に設計されて構成することができ、或いはコンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスク（登録商標）のような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の前述した実施形態の動作を行うために１つ以上のソフトウェアモジュールとして動作するように構成することができる。
【００７５】
上述したように、本発明を限定された実施形態と図面によって説明したが、本発明が属する分野における通常の知識を有する者であれば、本発明は、特許請求の範囲に記載された本発明の思想および領域から逸脱しない範囲内で、上記の実施形態に限定されることなく、このような実施形態から多様な修正及び変形が可能であることが明らかであろう。
【００７６】
したがって、本発明は、開示された実施形態に限定されるものではなく、本発明の変形及びバリエーションが、本願の請求項及びそれらの請求項に均等なものの範囲に入る限り、それらの変形及びバリエーションを含む。
【符号の説明】
【００７７】
１００      広告インベントリ調整システム
１０１−１〜１０１−Ｎ      広告主
１０２      広告インベントリ
８０１      競争度判断部
８０２      広告インベントリ調整部
８０３      広告インベントリ抽出部
８０４      有効広告抽出部
８０５      競争度決定部
９０１      競争度判断部
９０２      広告インベントリ調整部
９０３      登録広告抽出部
９０４      有効広告抽出部
９０５      競争度決定部
【図１】
0005860650.tif 000002
【図２】
0005860650.tif 000003
【図３】
0005860650.tif 000004
【図４】
0005860650.tif 000005
【図５】
0005860650.tif 000006
【図６】
0005860650.tif 000007
【図７】
0005860650.tif 000008
【図８】
0005860650.tif 000009
【図９】
0005860650.tif 000010